(57)【特許請求の範囲】
【請求項１】
建物における引戸の方立と縦枠との間に施工される引戸用控え壁下地ユニットであって、
矩形状の板材からなる複数枚の下地材と、
前記複数枚の下地材が幅方向側端部で突き合わされて並べられた状態で、隣接する下地材の幅方向側端部間に挟まれて該下地材同士を一体的に連結可能な連結部材と、
前記複数枚の下地材のうちの方立側に位置する下地材の幅方向側端部を方立に取付可能な方立取付部材と、
前記各下地材の下端部を建物の床に取付可能な床取付部材と、を備え、
前記連結部材は、断面略Ｔ字状の鋼材からなりかつ前記各下地材の上下方向に沿って延びるように形成されており、
前記連結部材は、前記下地材の幅方向側端部間に挟まれるように配置される挟持部と、該挟持部の幅方向端部に挟持部と直交するように連続し、前記下地材の外面に取付固定される一対の取付部と、を含む、引戸用控え壁下地ユニット。
【請求項２】
請求項１に記載の引戸用控え壁下地ユニットにおいて、
前記方立取付部材は、前記下地材の外面に取付固定される下地材取付部と、該下地材取付部の幅方向一端部に下地材取付部と直交するように連続し、前記方立の側面に取付固定される方立取付部とを有する断面略Ｌ字状に形成されている、引戸用控え壁下地ユニット。
【請求項３】
請求項１または２に記載の引戸用控え壁下地ユニットにおいて、
前記床取付部材は、前記下地材の外面に取付固定される下地材取付部と、該下地材取付部の幅方向一端部に下地材取付部と直交するように連続し、建物の床に取付固定される床取付部とを有する断面略Ｌ字状に形成されている、引戸用控え壁下地ユニット。
【請求項４】
請求項１〜３のいずれか１項に記載の引戸用控え壁下地ユニットにおいて、
前記下地材の外面に取付可能で、建物の躯体に対する壁材の施工位置を調整するスペーサ、を備える、引戸用控え壁下地ユニット。
【請求項５】
請求項１〜３のいずれか１項に記載の引戸用控え壁下地ユニットにより施工された引戸用控え壁構造であって、
複数枚の下地材が幅方向側端部で突き合わされて並べられた状態で連結部材により一体的に連結され、
前記複数枚の下地材のうちの方立側に位置する下地材の幅方向側端部が前記方立取付部材により前記方立に取付固定されている一方、前記各下地材の下端部は床取付部材により建物の床に取付固定されており、
前記方立および建物の床に取り付けられた複数枚の下地材の外面に壁材が取り付けられている、引戸用控え壁構造。
【請求項６】
請求項５に記載の引戸用控え壁構造において、
前記下地材の外面に、建物の躯体に対する前記壁材の施工位置を調整するスペーサが取り付けられている、引戸用控え壁構造。
【請求項７】
請求項５に記載の引戸用控え壁構造の施工方法であって、
前記複数枚の下地材の側端部同士を突き合わせ、その側端部間に連結部材を挟み込んで該下地材同士を連結するステップと、
前記方立側に位置する前記下地材の側端部を前記方立取付部材により方立に取り付けるステップと、
前記下地材の下端部を前記床取付部材により建物の床に取り付けるステップと、
前記下地材の外面に前記壁材を取り付けるステップと、を備える、引戸用控え壁構造の施工方法。
【請求項８】
請求項７に記載の引戸用控え壁構造の施工方法において、
前記下地材の外面に前記壁材を取り付けるステップの前に、前記複数枚の下地材を前記方立および建物の床に取り付けた状態で、該下地材の外面にスペーサを取り付けて、建物の躯体に対する前記壁材の施工位置を調整するステップをさらに備える、引戸用控え壁構造の施工方法。
【発明の詳細な説明】
【技術分野】
【０００１】
本発明は、引戸用控え壁下地ユニット、引戸用控え壁構造、およびその製造方法に関するものである。
【背景技術】
【０００２】
従来から、左右一対の縦枠および上下一対の横枠により形成された四方枠内に複数の中横桟を上下に組み込んだ軸組型の控え壁下地ユニットが引戸装置の引戸枠に取り付けられ、その控え壁下地ユニット表面に石膏ボード等からなる壁材が貼り付けられた引き戸用控え壁構造が知られている。そのような引き戸用控え壁構造として、例えば特許文献１および２のようなものが存在している。
【先行技術文献】
【特許文献】
【０００３】
【特許文献１】特許第４１８１９４２号公報
【特許文献２】特許第５６８４７５９号公報
【発明の概要】
【発明が解決しようとする課題】
【０００４】
上記特許文献１および２の引き戸用控え壁構造では、軸組型の控え壁下地ユニットの骨格をなす四方枠の厚み（すなわち縦枠および横枠の各厚み）が石膏ボード等からなる壁材の厚みよりも大きくなるように構成されている。これにより、引戸枠に取り付けた状態における控え壁下地ユニットの強度（例えば上下方向の反りや衝撃に対する耐性）が十分に保たれるようになっている。
【０００５】
しかしながら、ある程度の厚みを有する控え壁下地ユニットを引戸枠に取り付けた控え壁構造では、比較的厚い建物の壁にしか施工することができないことになる。すなわち、建物の壁厚が比較的薄い場所に設置されている引戸枠に対して、特許文献１および２の引き戸用控え壁構造に用いられる軸組型の控え壁下地ユニットを取り付けることが困難であった。
【０００６】
本発明は斯かる点に鑑みてなされたものであり、その目的は、引戸用控え壁下地ユニットの構造に工夫を加えることにより、その下地ユニットを建物の壁厚が比較的薄い場所に設置されている引戸枠にも容易に取り付けることができかつ十分な強度が保たれ得るようにすることにある。
【課題を解決するための手段】
【０００７】
上記の目的を達成するために、本発明の第１の形態による引戸用控え壁下地ユニットは、建物における引戸の方立と縦枠との間に施工される引戸用控え壁下地ユニットであって、矩形状の板材からなる複数枚の下地材と、複数枚の下地材が幅方向側端部で突き合わされて並べられた状態で、隣接する下地材の幅方向側端部間に挟まれて該下地材同士を一体的に連結可能な連結部材と、複数枚の下地材のうちの方立側に位置する下地材の幅方向側端部を方立に取付可能な方立取付部材と、各下地材の下端部を建物の床に取付可能な床取付部材と、を備える。連結部材は、断面略Ｔ字状の鋼材からなりかつ各下地材の上下方向に沿って延びるように形成されている。そして、連結部材は、下地材の幅方向側端部間に挟まれるように配置される挟持部と、該挟持部の幅方向端部に挟持部と直交するように連続し、下地材の外面に取付固定される一対の取付部と、を含むことを特徴とする。
【０００８】
この第１の形態では、引戸用控え壁下地ユニットは、矩形状の板材からなる下地材同士が幅方向側端部で突き合わされて並べられた状態で形成されるため、引戸用控え壁下地ユニット自体の厚みが抑制され、引戸枠に取り付けられた状態における控え壁構造の厚みが大きく増加することがない。その結果、建物の壁厚が比較的薄い場所に設置されている引戸枠にも引戸用控え壁下地ユニットを取り付けることができる。また、下地材同士が突き合わされた幅方向側端部に連結部材が取付可能に構成されていて、連結部材が挟持部および一対の取付部を含むため、下地材同士が幅方向側端部で突き合わされて並べられた状態でそれらを一体的に連結することが可能となり、引戸用控え壁下地ユニット自体の厚みを抑制しつつ、引戸用控え壁下地ユニット自体の反りや衝撃に対する強度を高めることができる。さらに、方立および床取付部材により複数枚の下地材を引戸の方立および建物の床にそれぞれ取付可能に構成されていることから、引戸枠および床に対して引戸用控え壁下地ユニットを容易かつ強固に取り付けることができる。
【０００９】
第２の形態は、第１の形態において、方立取付部材は、下地材の外面に取付固定される下地材取付部と、該下地材取付部の幅方向一端部に下地材取付部と直交するように連続し、方立の側面に取付固定される方立取付部とを有する断面略Ｌ字状に形成されていることを特徴とする。
【００１０】
この第２の形態では、引戸用控え壁下地ユニット自体の厚みを抑制しつつ、下地材を方立に対して方立取付部材により容易かつ強固に取り付けることができる。
【００１１】
第３の形態は、第１または第２の形態のいずれか１つにおいて、床取付部材は、下地材の外面に取付固定される下地材取付部と、該下地材取付部の幅方向一端部に下地材取付部と直交するように連続し、建物の床に取付固定される床取付部とを有する断面略Ｌ字状に形成されていることを特徴とする。
【００１２】
この第３の形態では、引戸用控え壁下地ユニット自体の厚みを抑制しつつ、下地材を建物の床に対して床取付部材により容易かつ強固に取り付けることができる。
【００１３】
第４の形態は、第１〜第３の形態のいずれか１つにおいて、下地材の外面に取付可能で、建物の躯体に対する壁材の施工位置を調整するスペーサ、を備えることを特徴とする。
【００１４】
この第４の形態では、建物の壁厚が厚い場所に設置されている引戸枠に引戸用控え壁下地ユニットを施工する場合に、スペーサを下地材の外面に取り付けることで、建物の躯体に対する壁材の施工位置を適宜調整することができる。
【００１５】
第５の形態は、第１〜第３の形態のいずれか１つの引戸用控え壁下地ユニットにより施工された引戸用控え壁構造であって、複数枚の下地材が幅方向側端部で突き合わされて並べられた状態で連結部材により一体的に連結され、複数枚の下地材のうちの方立側に位置する下地材の幅方向側端部が方立取付部材により方立に取付固定されている一方、各下地材の下端部は床取付部材により建物の床に取付固定されており、方立および建物の床に取り付けられた複数枚の下地材の外面に壁材が取り付けられていることを特徴とする。
【００１６】
この第５の形態では、第１〜第３のいずれかの形態と同様の作用効果を得ることができる。
【００１７】
第６の形態は、第５の形態において、下地材の外面に、建物の躯体に対する壁材の施工位置を調整するスペーサが取り付けられていることを特徴とする。
【００１８】
第６の形態では、第５の形態と同様の作用効果を得ることができる。
【００１９】
第７の形態は、第５の形態の引戸用控え壁構造の施工方法であって、複数枚の下地材の側端部同士を突き合わせ、その側端部間に連結部材を挟み込んで該下地材同士を連結するステップと、方立側に位置する下地材の側端部を方立取付部材により方立に取り付けるステップと、下地材の下端部を床取付部材により建物の床に取り付けるステップと、下地材の外面に壁材を取り付けるステップと、を備えることを特徴とする。
【００２０】
第７の形態では、第５の形態と同様の作用効果を得ることができる。
【００２１】
第８の形態は、第７の形態において、下地材の外面に壁材を取り付けるステップの前に、複数枚の下地材を方立および建物の床に取り付けた状態で、該下地材の外面にスペーサを取り付けて、建物の躯体に対する壁材の施工位置を調整するステップをさらに備えることを特徴とする。
【００２２】
第８の形態では、第７の形態と同様の作用効果を得ることができる。
【発明の効果】
【００２３】
以上説明したように、本発明によると、引戸用控え壁下地ユニット自体の反りや衝撃に対する強度を高めることができるとともに、建物の壁厚が比較的薄い場所に設置されている引戸枠にも引戸用控え壁下地ユニットを容易かつ強固に取り付けることができる。
【図面の簡単な説明】
【００２４】
【図１】図１は、本発明の第１実施形態に係る引戸用控え壁構造を示す分解斜視図である。
【図２】図２は、引戸用控え壁下地ユニットの取付状態を引戸とともに示す斜視図である。
【図３】図３は、引戸用控え壁下地ユニットの取付状態を示す正面図である。
【図４】図４は、図３のIV−IV線断面図である。
【図５】図５は、図３のV−V線断面図である。
【図６】図６は、連結部材を示す斜視図である。
【図７】図７は、下地材の連結状態を示す部分横断面図である。
【図８】図８は、下地材と方立との取付状態を示す部分縦断面図である。
【図９】図９は、下地材と建物の床との取付状態を示す部分縦断面図である。
【図１０】図１０は、下地材に方立取付部材を取り付ける際の斜視図である。
【図１１】図１１は、引戸用控え壁下地ユニットに取り付けた方立および床取付部材をそれぞれ方立および床に取り付ける際の斜視図である。
【図１２】図１２は、引戸用控え壁下地ユニットを鴨居および戸尻側縦枠に取り付ける際の斜視図である。
【図１３】図１３は、引戸用控え壁下地ユニットに壁材を取り付ける際の斜視図である。
【図１４】図１４は、スペーサの取付状態を示す斜視図である。
【図１５】図１５は、スペーサの取付状態を示す図４相当図である。
【発明を実施するための形態】
【００２５】
［第１実施形態］
以下、本発明の第１実施形態を図面に基づいて詳細に説明する。以下の各実施形態の説明は、本質的に例示に過ぎず、本発明、その適用物或いはその用途を制限することを意図するものではない。
【００２６】
図１は、引戸用控え壁下地ユニット２０により施工された引戸用控え壁構造１を示している。ここで、２は建物の開口部、３は開口部２周囲の左側部分を形成する左柱、４は同右側部分を形成する右柱、５は同上側部分を形成するまぐさである。
【００２７】
図２に示すように、建物の開口部２には、例えば右開きの引戸１０ａを有する引戸装置１０が設置されている。図３〜図５にも示すように、この引戸装置１０は、引戸枠１１を備えている。引戸枠１１は、左右方向に互いに間隔を空けて立設される戸先側縦枠１２および戸尻側縦枠１３と、これら縦枠１２，１３の上端部間に架け渡されて連結固定された左右水平方向に延びる鴨居１４（横枠）と、戸先側及び戸尻側縦枠１２，１３間の中央位置に立設され、上端部が鴨居１４に連結固定された方立１５とを備えている。戸先側縦枠１２は右柱４の左側面に、また戸尻側縦枠１３は左柱３の右側面に、さらに鴨居１４はまぐさ５の下面にそれぞれ固定されている。
【００２８】
図４に示すように、引戸用控え壁下地ユニット２０は、引戸枠１１を構成する方立１５と戸尻側縦枠１３との間に施工されるもので、方立１５および建物の床Ｆに取り付けられている。そして、図１に示すように、引戸用控え壁構造１は、引戸用控え壁下地ユニット２０に石膏ボードからなる壁材６が取り付けられている状態として構成されている。
【００２９】
図１〜図５に示すように、引戸用控え壁下地ユニット２０は、矩形状の板材からなる例えば２枚（複数枚）の下地材２１，２１を備えている。具体的には、下地材２１，２１は、薄板材（例えば約１２ｍｍの合板）からなり、戸尻側縦枠１３から方立１５までの左右幅および建物の床Ｆから鴨居１４までの上下高さの各寸法に合わせて適切な高さと幅になるように加工されたものである。そして、下地材２１，２１の各々は、幅方向に並べられて一体的に連結された状態で施工されている。なお、本実施形態では、下地材２１，２１の各々は、互いに同じ左右幅および上下高さになるようにそれぞれ加工されたものが用いられている。
【００３０】
また、図１〜図４に示すように、引戸用控え壁下地ユニット２０の中央部分には、下地材２１，２１同士を連結している連結部材２２が設けられている。図６に示すように、この連結部材２２は、断面略Ｔ字状の鋼材等からなり、引戸用控え壁下地ユニット２０の上下方向に延びるように形成されている。具体的には、図７にも示すように、連結部材２２は、下地材２１，２１の幅方向側端部２１ｄ，２１ｄ間に挟まれるように配置される挟持部２２ａを有している。また、連結部材２２は、挟持部２２ａの幅方向端部に挟持部２２ａと直交するように連続する一対の取付部２２ｂ，２２ｂを有し、この取付部２２ｂ，２２ｂは下地材２１，２１の外面２１ａ，２１ａに取付固定される。すなわち、連結部材２２は、２枚の下地材２１，２１が幅方向側端部２１ｄ，２１ｄで突き合わされて並べられた状態で、隣接する下地材２１，２１の幅方向側端部２１ｄ，２１ｄ間に挟まれて下地材２１，２１同士を一体的に連結可能なように構成されている。
【００３１】
図１〜図４に示すように、方立１５側（各図で右側）に位置する下地材２１において方立１５側の幅方向側端部２１ｄには、引戸用控え壁下地ユニット２０を方立１５に取り付けるための方立取付部材２３が設けられている。図２に示すように、この方立取付部材２３は、断面略Ｌ字状の鋼材からなり、控え壁下地ユニット２０の上下方向に延びるように形成されている。具体的には、図８にも示すように、方立取付部材２３は、下地材２１の外面２１ａに取付固定される下地材取付部２３ａを有している。また、方立取付部材２３は、下地材取付部２３ａの幅方向一端部に下地材取付部２３ａと直交するように連続する方立取付部２３ｂを有し、この方立取付部２３ｂは方立１５の側面に取付固定される。すなわち、方立取付部材２３は、２枚の下地材２１，２１のうちの方立１５側に位置する下地材２１の幅方向側端部２１ｄを方立１５に取付可能なように構成されている。
【００３２】
図１〜図３および図５に示すように、各下地材２１，２１の下端部２１ｃ，２１ｃには、引戸用控え壁下地ユニット２０を建物の床Ｆに取り付けるための床取付部材２４，２４が設けられている。図２に示すように、この床取付部材２４は、方立取付部材２３と同様に断面略Ｌ字状の鋼材からなり、控え壁下地ユニット２０の左右方向に延びるように形成されている。具体的には、図９にも示すように、床取付部材２４は、下地材２１の外面２１ａに取付固定される下地材取付部２４ａを有している。また、床取付部材２４は、下地材取付部２４ａの幅方向一端部に下地材取付部２４ａと直交するように連続する床取付部２４ｂを有し、この床取付部２４ｂは建物の床Ｆに取付固定される。すなわち、床取付部材２４は、各下地材２１，２１の下端部２１ｃ，２１ｃを建物の床Ｆに取付可能なように構成されている。なお、本実施形態において、床取付部材２４は、方立取付部材２３と同じ部材で長さが異なるだけであり、下地材２１の下端部２１ｃの長さに適合するように加工されたものが用いられている。
【００３３】
次に、この実施形態に係る引戸用控え壁下地ユニット２０による引戸用控え壁構造１の施工方法を説明する。
【００３４】
はじめに、引戸用控え壁下地ユニット２０の組み立てを行う。まず、戸尻側縦枠１３から方立１５までの左右幅および建物の床Ｆから鴨居１４までの上下高さの各寸法を測定し、その各寸法に適合するように１２ｍｍの合板により、２枚の下地材２１，２１を準備する。
【００３５】
次に、２枚の下地材２１，２１の側端部２１ｄ，２１ｄ同士を突き合わせて並べた状態で、側端部２１ｄ，２１ｄ間に連結部材２２を挟み込んで下地材２１，２１同士を連結する。具体的には、図７に示すように、連結部材２２の挟持部２２ａを下地材２１，２１の幅方向側端部２１ｄ，２１ｄ間に挟まれるように配置し、連結部材２２の取付部２２ｂ，２２ｂを下地材２１，２１の外面２１ａ，２１ａにそれぞれビスＶによりねじ止めする。
【００３６】
こうして下地材２１，２１同士を連結した後、下地材２１に方立取付部材２３および床取付部材２４，２４を取り付ける。具体的には、図１０に示すように、方立取付部材２３の下地材取付部２３ａを方立１５側に配置する下地材２１の外面２１ａにビスＶによりねじ止めする。このとき、方立取付部２３ａの取付面が下地材２１の側端部２１ｄの端面と互いに面一となるように、図１０の仮想線で示す治具Ｔで位置調整しながら下地材２１に方立取付部材２３を取り付ける。同様に、床取付部材２４の下地材取付部２４ａを建物の床Ｆ側に配置する下地材２１の下端部２１ｃにビスＶによりねじ止めする（図９参照）。これにより、引戸用控え壁下地ユニット２０の組み立てが完了する。
【００３７】
次に、引戸用控え壁下地ユニット２０を建物の開口部２に設置された引戸枠１１および建物の床Ｆに固定する。具体的には、図１１に示すように、方立１５側に配置される下地材２１に取付固定された方立取付部材２３の方立取付部２３ｂを方立１５の側面にビスＶによりねじ止めする。同様に、下地材２１の下端部２１ｃに取付固定された床取付部材２４の床取付部２４ｂを床ＦにビスＶによりねじ止めする。さらに、図１２に示すように、下地材２１の上端部２１ｂを引戸枠１１の鴨居１４にビスＶによりねじ止めするとともに、引戸枠１１の戸尻側縦枠１３側に配置されている下地材２１の側端部２１ｄを戸尻側縦枠１３にビスＶによりねじ止めする。
【００３８】
最後に、図１３に示すように、引戸枠１１および建物の床Ｆに固定した引戸用控え壁下地ユニット２０における下地材２１の外面２１ａに石膏ボードからなる壁材６をビスＶによりねじ止めする。以上により、引戸用控え壁下地ユニット２０による引戸用控え壁構造１の施工が完了する。
【００３９】
以上のように、第１実施形態に係る引戸用控え壁下地ユニット２０では、矩形状の板材からなる下地材２１，２１同士が幅方向側端部２１ｄ，２１ｄで突き合わされて並べられた状態で形成されるため、引戸用控え壁下地ユニット２０自体の厚みが抑制され、引戸枠１１に取り付けられた状態における引戸用控え壁構造１の厚みが大きく増加することがない。その結果、建物の壁厚が比較的薄い場所に設置されている引戸枠１１にも引戸用控え壁下地ユニット２０を取り付けることができる。
【００４０】
また、連結部材２２は、下地材２１，２１の幅方向側端部２１ｄ、２１ｄ間に挟まれるように配置される挟持部２２ａと、挟持部２２ａの幅方向端部に挟持部２２ａと直交するように連続し、下地材２１，２１の外面２１ａ，２１ａに取付固定される一対の取付部２２ｂ，２２ｂとを含むことから、下地材２１，２１同士が幅方向側端部２１ｄ，２１ｄで突き合わされて並べられた状態で一体的に連結することが可能となり、引戸用控え壁下地ユニット２０自体の厚みを抑制しつつ、引戸用控え壁下地ユニット２０の反りや衝撃に対する強度を高めることができる。
【００４１】
さらに、方立取付部材２３および床取付部材２４，２４により、引戸用控え壁下地ユニット２０自体の厚みを抑制しつつ、下地材２１，２１を方立１５および建物の床Ｆに対して容易かつ強固に取り付けることができる。
【００４２】
［第２実施形態］
図１４および図１５は、本発明の第２実施形態に係る引戸用控え壁下地ユニット２０により施工された引戸用控え壁構造１を示す。この実施形態は、第１実施形態に建物の躯体に対する壁材の施工位置を調整する複数のスペーサ２５，２５，…を設けたものである。なお、この実施形態に係る引戸用控え壁下地ユニットの他の構成は、第１実施形態に係る引戸用控え壁下地ユニットの構成と同様である。このため、以下の説明では、図１〜図１３と同じ部分について同じ符号を付し、その詳細な説明を省略する。
【００４３】
図１４に示すように、引戸枠１１の戸尻側縦枠１３側に配置されている図で左側の下地材２１には、例えば上下方向に延びる上下一対のスペーサ２５，２５が所定の間隔を空けて両面テープ等により接着されて固定されている。また、方立１５側に配置されている図で右側の下地材２１には、同様の上下二対のスペーサ２５，２５，…が所定の間隔を空けて接着されて固定されている。このスペーサ２５は、細長い木質板材等からなる。そして、図１５に示すように、各スペーサ２５，２５，…が下地材２１の外面２１ａに固定されている状態では、戸尻側縦枠１３側に配置されている左柱３の外面と各スペーサ２５，２５，…の外面とが互いに面一になるように構成されている。
【００４４】
また、複数のスペーサ２５，２５，…を取り付ける施工方法としては、下地材２１，２１の外面２１ａ，２１ａに壁材６を取り付ける前に、２枚の下地材２１，２１を方立１５および建物の床Ｆに取り付けた状態で、下地材２１，２１の外面２１ａ，２１ａに複数のスペーサ２５，２５，…を図示しない両面テープにより取り付ける。このとき、戸尻側縦枠１３側に配置されている左柱３の外面と各スペーサ２５，２５，…の外面とが互いに面一になるように、建物の躯体に対する壁材６の施工位置を調整する。
【００４５】
以上のように、この実施形態に係る引戸用控え壁下地ユニット２０では、下地材２１，２１の外面２１ａ，２１ａに取付可能で、建物の躯体に対する壁材６の施工位置を調整するスペーサ２５，２５，…を備えることから、建物の壁厚が厚い場所に設置されている引戸枠１１に引戸用控え壁下地ユニット２０を施工する場合に、スペーサ２５，２５，…を下地材２１，２１の外面２１ａ，２１ａに取り付けることで、建物の躯体に対する壁材６の施工位置を適宜調整することができる。
【００４６】
［その他の実施形態］
上記各実施形態に係る引戸用控え壁下地ユニット２０では、２枚の下地材２１，２１同士が幅方向側端部２１ｄ，２１ｄで突き合わされて並べられた状態で形成される形態を示したが、この形態に限られない。すなわち、３枚以上の下地材２１，２１，…が幅方向側端部２１ｄ，２１ｄで互いに突き合わされて並べられた形態であってもよい。
【００４７】
以上、本発明についての実施形態を説明したが、本発明は上述の実施形態のみに限定されず、発明の範囲内で種々の変更が可能である。
【産業上の利用可能性】
【００４８】
本発明は、引戸装置の引戸枠に取り付けられる引戸用控え壁下地ユニットおよびそれを備える引戸用控え壁構造として産業上の利用が可能である。
【符号の説明】
【００４９】
１：引戸用控え壁構造
２：開口部
３：左柱
４：右柱
５：まぐさ
６：壁材
１０：引戸装置
１１：引戸枠
１２：戸先側縦枠
１３：戸尻側縦枠
１４：鴨居（横枠）
１５：方立
２０：引戸用控え壁下地ユニット
２１：下地材
２１ａ：外面
２１ｂ：上端部
２１ｃ：下端部
２１ｄ：側端部
２２：連結部材
２２ａ：挟持部
２２ｂ：取付部
２３：方立取付部材
２３ａ：下地材取付部
２３ｂ：方立取付部
２４：床取付部材
２４ａ：下地材取付部
２４ｂ：床取付部
２５：スペーサ
Ｆ：床
【図１】
0006317718.tif 000002
【図２】
0006317718.tif 000003
【図３】
0006317718.tif 000004
【図４】
0006317718.tif 000005
【図５】
0006317718.tif 000006
【図６】
0006317718.tif 000007
【図７】
0006317718.tif 000008
【図８】
0006317718.tif 000009
【図９】
0006317718.tif 000010
【図１０】
0006317718.tif 000011
【図１１】
0006317718.tif 000012
【図１２】
0006317718.tif 000013
【図１３】
0006317718.tif 000014
【図１４】
0006317718.tif 000015
【図１５】
0006317718.tif 000016